(57)【要約】【課題】表示画面上において秘匿情報の入力を行う際、容易な操作で高い秘匿性を有した秘匿情報の設定を可能とする。【解決手段】情報設定画面２００上に表示された文字群のうちの複数の文字を順次選択可能な複数の選択操作手段と、複数の選択操作手段のうちのある特定の選択操作手段の操作により選択された文字を入力すべき文字として決定可能な決定操作手段とを有する遠隔操作手段（リモコン１００）からの出力情報を用いて秘匿情報の設定を行う秘匿情報設定装置５００を有するプロジェクターであって、秘匿情報設定装置５００は、情報設定画面２００に文字群を表示する機能と、複数の選択操作手段が複数の文字を同時に選択している状態を表示させる機能とを有する情報設定画面表示制御部５２０と、複数の文字の選択状態において決定操作手段が操作されると、特定の選択操作手段が選択している文字を入力する文字入力制御部５４０とを有する。【選択図】図２
2010250720.tif 000002
【特許請求の範囲】
【請求項１】
情報設定画面上に表示された所定数の文字で構成される文字群のうちの任意の複数の文字を個々の文字ごとに順次選択可能な複数の選択操作手段と、前記複数の選択操作手段のうちのある特定の選択操作手段の操作により選択された文字を入力すべき文字として決定可能な決定操作手段とを有する遠隔操作手段からの出力情報を用いて秘匿情報の設定を行う秘匿情報設定方法であって、
前記情報設定画面において前記所定数の文字で構成される文字群を表示させるステップと、
前記複数の選択操作手段が前記複数の文字を同時に選択しているかのように、前記複数の選択操作手段による複数の文字の選択状態を表示させるステップと、
前記複数の選択操作手段による複数の文字の選択状態において前記決定操作手段が操作されると、前記決定操作手段が操作される直前に操作された選択操作手段により選択された文字を入力するステップと、
を有することを特徴とする秘匿情報設定方法。
【請求項２】
請求項１に記載の秘匿情報設定方法において、
前記所定数の文字で構成される文字群は、ソフトウエアキーボードとして表示されている文字群であることを特徴とする秘匿情報設定方法。
【請求項３】
請求項２に記載の秘匿情報設定方法において、
前記複数の選択操作手段による複数の文字の選択状態は、前記ソフトウエアキーボード上に表示された前記複数の選択操作手段それぞれに対応するカーソルが複数の文字を同時に指示している状態であることを特徴とする秘匿情報設定方法。
【請求項４】
請求項３に記載の秘匿情報設定方法において、
前記複数の選択操作手段それぞれに対応するカーソルは、色分けされて表示されることを特徴とする秘匿情報設定方法。
【請求項５】
請求項３又は４に記載の秘匿情報設定方法において、
前記複数の選択操作手段それぞれに対応するカーソルは、それぞれのカーソルが異なる方向に移動するように、各カーソルごとに移動方向が設定されており、前記特定の選択操作手段により当該選択操作手段に対応するカーソルを移動させると、他のカーソルもそれぞれに設定された移動方向に移動することを特徴とする秘匿情報設定方法。
【請求項６】
請求項５に記載の秘匿情報設定方法において、
前記特定の選択操作手段に対応するカーソルが所望とする文字に到達したときに、前記決定操作手段が操作されると、当該特定の選択操作手段に対応するカーソルにより指示された文字が入力されることを特徴とする秘匿情報設定方法。
【請求項７】
所定数の文字で構成される文字群のうちの任意の複数の文字を個々の文字ごとに情報設定画面の個別文字表示部に順次表示させるための操作を行う複数の選択操作手段と、前記複数の選択操作手段のうちのある特定の選択操作手段の操作によって前記個別文字表示部に表示された文字を入力すべき文字として決定可能な決定操作手段とを有する遠隔操作手段からの出力情報を用いて秘匿情報の設定を行う秘匿情報設定方法であって、
前記複数の選択操作手段が前記複数の文字を同時に選択しているかのように、前記複数の文字を前記複数の個別文字表示部に同時に表示させるステップと、
前記複数の文字を前記個別文字表示部に同時に表示させた状態において前記決定操作手段が操作されると、前記決定操作手段が操作される直前に操作された選択操作手段により選択された文字を入力するステップと、
を有することを特徴とする秘匿情報設定方法。
【請求項８】
請求項７に記載の秘匿情報設定方法において、
前記個別文字表示部は、前記複数の選択操作手段に対応して設けられており、前記特定の選択操作手段の操作によって当該特定の選択操作手段に対応する個別文字表示部に表示される文字を変化させると、他の選択操作手段に対応する個別文字表示部に表示される文字も変化することを特徴とする秘匿情報設定方法。
【請求項９】
請求項８に記載の秘匿情報設定方法において、
前記特定の選択操作手段に対応する個別文字表示部に所望とする文字が表示されたときに、前記決定操作手段が操作されると、前記特定の選択操作手段に対応する個別文字表示部に表示されている文字が入力されることを特徴とする秘匿情報設定方法。
【請求項１０】
情報設定画面上に表示された所定数の文字で構成される文字群のうちの任意の複数の文字を個々の文字ごとに順次選択可能な複数の選択操作手段と、前記複数の選択操作手段のうちのある特定の選択操作手段の操作により選択された文字を入力すべき文字として決定可能な決定操作手段とを有する遠隔操作手段からの出力情報を用いて秘匿情報の設定を行う秘匿情報設定装置を有するプロジェクターであって、
前記秘匿情報設定装置は、
前記情報設定画面において前記所定数の文字で構成される文字群を表示させる機能と、前記複数の選択操作手段が前記複数の文字を同時に選択しているかのように、前記複数の選択操作手段による複数の文字の選択状態を表示させる機能とを有する情報設定画面表示制御部と、
前記複数の選択操作手段による複数の文字の選択状態において前記決定操作手段が操作されると、前記決定操作手段が操作される直前に操作された選択操作手段により選択された文字を入力する文字入力制御部と、
を有することを特徴とするプロジェクター。
【請求項１１】
所定数の文字で構成される文字群のうちの任意の複数の文字を個々の文字ごとに選択して情報設定画面の個別文字表示部に順次表示可能な複数の選択操作手段と、前記複数の選択操作手段のうちのある特定の選択操作手段の操作により選択した文字を入力すべき文字として決定可能な決定操作手段とを有する遠隔操作手段からの出力情報を用いて秘匿情報の設定を行う秘匿情報設定装置を有するプロジェクターであって、
前記秘匿情報設定装置は、
前記複数の選択操作手段が前記複数の文字を同時に選択しているかのように、前記複数の文字を前記情報設定画面における複数の個別文字表示部に同時に表示させる情報設定画面表示制御部と、
前記複数の文字を前記情報設定画面における前記個別文字表示部に同時に表示させた状態において前記決定操作手段が操作されると、前記決定操作手段が操作される直前に操作された選択操作手段により選択された文字を入力する文字入力制御部と、
を有することを特徴とするプロジェクター。
【発明の詳細な説明】
【技術分野】
【０００１】
本発明は、プロジェクターによって表示された表示画面から秘匿情報の設定を可能とする秘匿情報設定方法及びプロジェクターに関する。
【背景技術】
【０００２】
プロジェクターにおいて種々の設定を行う際に、プロジェクターからスクリーン上にソフトウエアキーボードとカーソルとを表示させて、遠隔操作手段（例えばリモートコントローラー：以下ではリモコンという。）によって、カーソルを移動させて所望とする文字（記号や数値も含むものとする。）を選択し、リモコンの決定操作手段（決定キー）を操作することにより所望とする文字を入力させることが行われている。このような文字の入力方法は、例えば、プロジェクターをＬＡＮなどのネットワークに接続して用いる場合において、パスワードを入力する際にも採用されている。
【０００３】
しかしながら、プロジェクターの場合は、他の電子機器と異なり、スクリーン上に画像を表示するといった性格上、視聴者の面前で種々の操作を行うことが前提となる。このため、例えば、ネットワークに接続されたプロジェクターを用いてプレゼンテーションを行う場合、プレゼンテーションの前段階でネットワーク接続用のパスワードの設定を行っておけばよいが、パスワードの設定がなされていなかった場合などにおいては、プレゼンテーションが開始されてからパスワードを設定することとなる。この場合、視聴者の面前でスクリーン上に表示されたソフトウエアキーボードを用いてパスワードの入力を行うことになるので、パスワードが視聴者（第三者という。）に判読されてしまうという不都合がある。
【０００４】
これを解決するための方法としては、例えば、専用のフルキーボードをプロジェクターに接続する方法、あるいは、他種の文字を入力可能な多数のキーを有したリモコンを用意する方法もある。このような方法によれば、第三者に判読されないようにパスワードを入力することは可能となるが、プロジェクターが天吊状態に設置されている場合には、フルキーボードの使用は非現実的であり、また、多数のキーを有したリモコンは、操作の簡便性が損なわれ、また、リモコンそのものの構成が複雑になるという問題がある。
【０００５】
一方、視聴者に判読されないようにパスワードの設定が可能な技術も従来から種々提案されている（例えば、特許文献１参照。）
特許文献１に開示された技術は、プロジェクターなどのリモコンのキーを押す操作（押圧操作という。）を連続的に行ったときの押圧操作回数や押圧操作時間を組み合わせて、文字列を入力するというものであり、秘匿性の高いパスワードの入力が可能とであるとしている。
【先行技術文献】
【特許文献】
【０００６】
【特許文献１】特開２００５−６３３５０号公報
【発明の概要】
【発明が解決しようとする課題】
【０００７】
特許文献１に開示された技術をプロジェクターに用いた場合、入力されたパスワードをスクリーン上にそのままの文字列として表示するわけにはいかないので、パスワードの入力者（操作者という。）は、自身が入力した文字がパスワードとして適正に設定されているか否かを確認することができないといった課題がある。また、キーの押圧操作回数や押
圧操作時間を組み合わせるといった特殊な方法であるため、操作に習熟しないと円滑なパスワード設定が行えないといった課題もある。また、秘匿を必要としない文字列の入力を行う場合と、秘匿を必要とする文字列の入力を行う場合とで操作方法に大きな違いがあるため、操作の仕方が煩雑となるといった課題もある。
【０００８】
そこで本発明は、プロジェクターによって表示された表示画面上においてパスワードなどの秘匿情報の設定を行う場合において、容易な操作で、かつ、高い秘匿性を有した秘匿情報の設定を可能とする秘匿情報設定方法及びプロジェクターを提供することを目的とする。
【課題を解決するための手段】
【０００９】
本発明における秘匿情報設定方法の第１態様は、情報設定画面上に表示された所定数の文字で構成される文字群のうちの任意の複数の文字を個々の文字ごとに順次選択可能な複数の選択操作手段と、前記複数の選択操作手段のうちのある特定の選択操作手段の操作により選択された文字を入力すべき文字として決定可能な決定操作手段とを有する遠隔操作手段からの出力情報を用いて秘匿情報の設定を行う秘匿情報設定方法であって、前記情報設定画面において前記所定数の文字で構成される文字群を表示させるステップと、前記複数の選択操作手段が前記複数の文字を同時に選択しているかのように、前記複数の選択操作手段による複数の文字の選択状態を表示させるステップと、前記複数の選択操作手段による複数の文字の選択状態において前記決定操作手段が操作されると、前記決定操作手段が操作される直前に操作された選択操作手段により選択された文字を入力するステップとを有することを特徴とする。
【００１０】
このように、本発明における秘匿情報設定方法の第１態様においては、情報設定画面に表示された文字群のうちの複数の文字を複数の選択操作手段によって同時に選択している状態を表示させて、複数の選択操作手段のうちのある１つの選択操作手段（特定の選択操作手段）の操作によって選択した文字のみを入力するようにしている。すなわち、特定の選択操作手段による選択操作のみが操作者の意図する選択操作であって、当該特定の選択操作手段以外の選択操作手段による選択操作はダミーである。これにより、操作者が何の文字を入力しようとしているのかは第三者には識別しにくく、高い秘匿性を有した文字入力が可能となる。また、本発明の秘匿情報設定方法は、秘匿する必要のない一般的な情報を設定する場合とほぼ同様の操作によって秘匿情報の設定が行えるので、秘匿情報を設定する操作に習熟する必要はなく、容易に秘匿情報を設定することができる。
なお、本発明において文字とは、アルファベット、漢字、ひらがな、かたかな、数値、記号などを総称したものであるとする。
【００１１】
本発明における秘匿情報設定方法の第１態様において、前記所定数の文字で構成される文字群は、ソフトウエアキーボードとして表示されている文字群であることが好ましい。
【００１２】
このように、ソフトウエアキーボードを表示させることにより、操作者は、ソフトウエアキーボードから容易に秘匿情報を構成する文字を入力することができる。なお、ソフトウエアキーボードに表示される文字の種類や配列などは特に限定されるものではない。なた、情報処理機器に入力可能な文字群というのは、例えば、パーソナルコンピュータなどに入力可能な文字群を指している。
【００１３】
本発明における秘匿情報設定方法の第１態様において、前記複数の選択操作手段による複数の文字の選択状態は、前記ソフトウエアキーボード上に表示された前記複数の選択操作手段それぞれに対応するカーソルが複数の文字を同時に指示している状態であることが好ましい。
【００１４】
このように、複数の選択操作手段に対応したカーソルによって複数の文字を同時に指示している状態をソフトウエアキーボード上に表示させることにより、第三者はどのカーソルが実際の入力に使われるのかを容易には識別することができない。
【００１５】
本発明における秘匿情報設定方法の第１態様において、前記複数の選択操作手段それぞれに対応するカーソルは、色分けされて表示されることが好ましい。
【００１６】
このように、複数の選択操作手段それぞれに対応するカーソルを色分けすることにより、操作者は、自身が注目しているカーソルがどれであるかを容易に識別できるため、操作性に優れたものとなる。
【００１７】
本発明における秘匿情報設定方法の第１態様において、前記複数の選択操作手段それぞれに対応するカーソルは、それぞれのカーソルが異なる方向に移動するように、各カーソルごとに移動方向が設定されており、前記特定の選択操作手段により当該選択操作手段に対応するカーソルを移動させると、他のカーソルもそれぞれに設定された移動方向に移動することが好ましい。
【００１８】
これにより、操作者がある特定の選択操作手段を操作して当該特定の選択操作手段に対応するカーソルを移動させると、他のカーソルもそれぞれに設定された方向に移動するため、第三者の目を撹乱することができ、また、操作者にとっては、カーソルの移動方向によって、自身が注目するカーソルがどれであるかを容易に識別することができる。
【００１９】
本発明における秘匿情報設定方法の第１態様において、前記特定の選択操作手段に対応するカーソルが所望とする文字に到達したときに、前記決定操作手段が操作されると、当該特定の選択操作手段に対応するカーソルにより指示された文字が入力されることが好ましい。
【００２０】
これにより、特定の選択操作手段に対応するカーソル（操作者が注目するカーソル）によって指示された文字のみを入力させることができる。
【００２１】
本発明における秘匿情報設定方法の第２態様は、所定数の文字で構成される文字群のうちの任意の複数の文字を個々の文字ごとに情報設定画面の個別文字表示部に順次表示させるための操作を行う複数の選択操作手段と、前記複数の選択操作手段のうちのある特定の選択操作手段の操作により選択した文字を入力すべき文字として決定可能な決定操作手段とを有する遠隔操作手段からの出力情報を用いて秘匿情報の設定を行う秘匿情報設定方法であって、前記複数の選択操作手段が前記複数の文字を同時に選択しているかのように、前記複数の文字を前記複数の個別文字表示部に同時に表示させるステップと、前記複数の文字を前記個別文字表示部に同時に表示させた状態において前記決定操作手段が操作されると、前記決定操作手段が操作される直前に操作された選択操作手段により選択された文字を入力するステップとを有することを特徴とする。
【００２２】
これは、ソフトウエアキーボードを表示させるのではなく、個々の文字を複数の個別文字表示部に同時に表示させるというものである。また、この場合、複数の文字が前記複数の個別文字表示部に同時に表示されている状態を、複数の選択操作手段による複数の文字の選択状態としているので、この場合も、第三者はどの個別文字表示部に表示されている文字が実際の入力に使われるのかを容易には識別することができない。本発明における秘匿情報設定方法の第２態様においても、前記本発明における秘匿情報設定方法の第１態様と同様の効果が得られる。
【００２３】
本発明における秘匿情報設定方法の第２態様において、前記個別文字表示部は、前記複
数の選択操作手段に対応して設けられており、前記複数の選択操作手段のうちの前記特定の選択操作手段の操作によって当該特定の選択操作手段に対応する個別文字表示部に表示される文字を変化させると、他の選択操作手段に対応する個別文字表示部に表示される文字も変化することが好ましい。
【００２４】
このように、特定の選択操作手段を操作すると当該特定の選択操作手段に対応する個別文字表示部に表示される文字が順次変化して行くとともに、他の選択操作手段に対応するそれぞれの個別文字表示部に表示される文字も順次変化して行くので、第三者の目を撹乱することができ、第三者はどの個別文字表示部に表示されている文字が実際の入力に使われるのかを容易には識別できない。
【００２５】
本発明における秘匿情報設定方法の第２態様において、前記特定の選択操作手段に対応する個別文字表示部に所望とする文字が表示されたときに、前記決定操作手段が操作されると、前記特定の選択操作手段に対応する個別文字表示部に表示されている文字が入力されることが好ましい。
【００２６】
これにより、特定の選択操作手段に対応する文字表示部に表示されている文字のみを入力させることができる。
【００２７】
本発明におけるプロジェクターの第１態様は、情報設定画面上に表示された所定数の文字で構成される文字群のうちの任意の複数の文字を個々の文字ごとに順次選択可能な複数の選択操作手段と、前記複数の選択操作手段のうちのある特定の選択操作手段の操作により選択された文字を入力すべき文字として決定可能な決定操作手段とを有する遠隔操作手段からの出力情報を用いて秘匿情報の設定を行う秘匿情報設定装置を有するプロジェクターであって、前記秘匿情報設定装置は、前記情報設定画面において前記所定数の文字で構成される文字群を表示させる機能と、前記複数の選択操作手段が前記複数の文字を同時に選択しているかのように、前記複数の選択操作手段による複数の文字の選択状態を表示させる機能とを有する情報設定画面表示制御部と、前記複数の選択操作手段による複数の文字の選択状態において前記決定操作手段が操作されると、前記決定操作手段が操作される直前に操作された選択操作手段により選択された文字を入力する文字入力制御部とを有することを特徴とする。
【００２８】
このような秘匿情報設定装置を有することによって、前記本発明における秘匿情報設定方法の第１態様で述べた効果と同様の効果を得ることができる。また、本発明のプロジェクターは、秘匿情報の入力のために新たなハードウエアなどを特に設ける必要がなく、従来からのプロジェクターの構成を殆どそのまま使用することができるといった利点も有する。なお、本発明におけるプロジェクターの第１態様においても、前記本発明における秘匿情報設定方法の第１態様で述べたそれぞれの特徴を有することが好ましい。
【００２９】
本発明におけるプロジェクターの第２態様は、所定数の文字で構成される文字群のうちの任意の複数の文字を個々の文字ごとに選択して情報設定画面の個別文字表示部に順次表示可能な複数の選択操作手段と、前記複数の選択操作手段のうちのある特定の選択操作手段の操作により選択した文字を入力すべき文字として決定可能な決定操作手段とを有する遠隔操作手段からの出力情報を用いて秘匿情報の設定を行う秘匿情報設定装置を有するプロジェクターであって、前記秘匿情報設定装置は、前記複数の選択操作手段が前記複数の文字を同時に選択しているかのように、前記複数の文字を前記情報設定画面における複数の個別文字表示部に同時に表示させる情報設定画面表示制御部と、前記複数の文字を前記情報設定画面における前記個別文字表示部に同時に表示させた状態において前記決定操作手段が操作されると、前記決定操作手段が操作される直前に操作された選択操作手段により選択された文字を入力する文字入力制御部とを有することを特徴とする。
【００３０】
このような秘匿情報設定装置を有することによって、前記本発明におけるプロジェクターの第１態様と同様の効果を得ることができる。なお、本発明におけるプロジェクターの第２態様においても、前記本発明における秘匿情報設定方法の第２態様で述べたそれぞれの特徴を有することが好ましい。
【図面の簡単な説明】
【００３１】
【図１】実施形態１に係るプロジェクターを用いた画像表示システムの構成を説明する図。
【図２】実施形態１に係るプロジェクターの主要部の機能ブロック図。
【図３】ソフトウエアキーボード２１０を用いて秘匿情報の設定を行う具体例について説明する図。
【図４】図３に示すソフトウエアキーボード２１０を用いた第１の秘匿情報設定例について説明する図。
【図５】図３に示すソフトウエアキーボード２１０を用いた第２の秘匿情報設定例について説明する図。
【図６】実施形態２に係るプロジェクターＰＪにおける秘匿情報設定例について説明する図。
【発明を実施するための形態】
【００３２】
以下、本発明の実施形態について説明する。
【００３３】
［実施形態１］
図１は、実施形態１に係るプロジェクターを用いた画像表示システムの構成を説明する図であり、プロジェクターＰＪと、プロジェクターＰＪによって投射される画像を表示するスクリーンＳＣＲと、プロジェクターＰＪの付属品としての遠隔操作手段（リモコン１００）とを有している。なお、プロジェクターＰＪは、ネットワークに接続されているものとし、当該プロジェクターを使用する際は、ネットワークに接続するためのパスワードの設定を行うものとする。
【００３４】
パスワードの設定は、前述したように、スクリーンＳＣＲ上にソフトウエアキーボード２１０を有する情報設定画面２００を表示させて、リモコン１００の４つの選択操作手段（文字選択キーという。）１１１，１１２，１１３，１１４を用いてソフトウエアキーボード２１０上でパスワードを構成する文字を順次入力することによって行うものとする。
【００３５】
なお、リモコン１００は、プロジェクターＰＪに対して様々な設定や指示が可能であり、これらの設定及び指示を行うための種々のキーが設けられているが、本発明の実施形態の説明に必要なキーのみが図示されている。すなわち、実施形態１の説明に必要なキーとして、カーソル（図１では図示せず。）を上下左右に移動させて文字を選択するための４つの文字選択キー１１１、１１２、１１３，１１４と、カーソルによって選択された文字を決定する決定操作手段（決定キーという。）１２０と、秘匿情報の設定を行う際にプロジェクターＰＪの動作モードを秘匿情報設定モードに切り替えるモード切り替えキー１３０とを有している。
【００３６】
また、ソフトウエアキーボード２１０から入力可能な文字は、パーソナルコンピュータなどの情報処理機器に入力可能な文字群に含まれる文字である。実施形態１においては、ソフトウエアキーボード２１０から入力可能な文字は、図１に示すように、たとえば、「Ａ，Ｂ，Ｃ・・・・，Ｚ」のアルファベット、「０，１，２，・・・，９」の数値、「／，＋，−，＝，〜，＃，・・・」などの記号で構成されているものとする。また、情報設定画面２００には、ソフトウエアキーボード２１０の他に、操作者によって決定キー１２
０が押されるごとに、決定された文字を表示する入力文字表示部２２０を有している。なお、決定された文字は、秘匿情報である場合、文字そのものを表示させることはできないので、文字が決定されるごとに、例えば、アスタリスク「＊」を表示する。
【００３７】
図２は、実施形態１に係るプロジェクターＰＪにおける主要部の機能ブロック図である。なお、図２においては、秘匿情報設定を行うための秘匿情報設定装置５００のみについて示されており、プロジェクターＰＪが有する公知の構成要素については図示が省略されている。
【００３８】
秘匿情報設定装置５００は、図２に示すように、リモコン１００との通信を行うリモコン通信部５１０と、操作者によってリモコン１００から情報設定画面表示要求が出されると、図１に示すような情報設定画面２００を表示させる制御を行う情報設定画面表示制御部５２０と、情報設定画面２００上のソフトウエアキーボード２１０上に表示されるカーソルを制御するカーソル制御部５３０と、リモコン１００の決定キー１２０によって決定された文字をその時点において入力すべき文字として入力する文字入力制御部５４０と、文字入力制御部５４０によって入力された文字を記憶する記憶部５５０と、入力された文字を図１に示す入力文字表示部２２０に、例えば「＊」として表示するための制御を行う入力文字表示制御部５６０とを有している。
【００３９】
なお、カーソル制御部５３０は、リモコン１００の文字選択キー１１１，１１２，１１３，１１４がそれぞれ一回押圧操作されるごとにカーソルをソフトウエアキーボード２１０の文字上を１文字ずつ所定方向に移動させるように制御するものとする。
【００４０】
ところで、実施形態１に係るプロジェクターにおいては、秘匿情報を入力する場合と、秘匿情報ではない一般情報を入力する場合とで、ソフトウエアキーボード２１０上におけるカーソルの表示の仕方を異ならせている。なお、秘匿情報の入力を行う場合には、モード切り替えキー１３０（図１参照。）によって、プロジェクターＰＪの動作モードを秘匿情報の入力モードとする。
【００４１】
一般情報を入力する場合には、単一のカーソル（図示せず。）が表示され、この単一のカーソルは、文字選択キー１１１，１１２，１１３，１１４によって、上下左右に移動するようになっている。
【００４２】
一方、秘匿情報を入力する場合には、色の異なる４色のカーソル（赤色カーソルＣｒ、青色カーソルＣｂ、黄色カーソルＣｙ、緑色カーソルＣｇとする。）を表示させる（図３参照。）。これら４色のカーソルＣｒ，Ｃｂ，Ｃｙ，Ｃｇは、それぞれ対応する文字選択キー１１１，１１２，１１３，１１４によって、４色のカーソルＣｒ，Ｃｂ，Ｃｙ，Ｃｇそれぞれに設定された方向にのみ移動可能となっている。すなわち、赤色カーソルＣｒは、文字選択キー１１１によって上方向に移動制御され、青色カーソルＣｂは、文字選択キー１１２によって下方向に移動制御され、黄色カーソルＣｙは、文字選択キー１１３よって右方向に移動制御され、緑色カーソルＣｇは、文字選択キー１１４によって左方向に移動制御される。
【００４３】
ただし、文字選択キー１１１，１１２，１１３，１１４のうちの特定の文字選択キーが押圧操作されることによって、当該特定の文字選択キーに対応するカーソルが設定された方向に移動するとともに、それに連動して、他の３つの色のカーソルもそれぞれに設定された方向に移動する。たとえば、操作者が赤色に対応する文字選択キー１１１を押圧操作すると、赤色カーソルが、文字選択キー１１１の押圧回数に従って、１文字ずつ上方向に移動して行くが、他の色のカーソルも赤色カーソルＣｒの動きに連動してそれぞれの方向に移動する。すなわち、文字選択キー１１１によって赤色カーソルＣｒを上方向に１文字
分だけ移動させると、青色カーソルＣｂは、１文字分だけ下方向に移動し、黄色カーソルＣｙは、１文字分だけ左方向に移動し、緑色カーソルＣｇは、１文字分だけ右方向に移動するといった動作を行う。
【００４４】
次に、実施形態１に係るプロジェクターＰＪにおいて、情報設定画面２００に表示されたソフトウエアキーボード２１０から情報入力操作を行う場合について説明する。操作者がメニュー選択部（図示せず。）などから情報設定画面表示要求を行うと、情報設定画面表示制御部５２０は、情報設定画面表示要求に基づいて情報設定画面を表示させるための制御を行う。これにより、プロジェクターＰＪからは、図１に示すようなソフトウエアキーボード２１０を有する情報設定画面２００がスクリーンＳＣＲ上に表示される。
【００４５】
まず初めに、ソフトウエアキーボード２１０により一般情報の入力を行う場合について説明する。一般情報としては、例えば、当該プロジェクターＰＪの個別名称や使用者名などを例示することができる。この場合、ソフトウエアキーボード２１０のある文字の位置に単一のカーソル（図示せず。）が表示される。
【００４６】
この状態で、操作者がリモコンの文字選択キー１１１，１１２，１１３，１１４のいずれかを操作することによって、単一のカーソルを上下左右に移動させる。そして、カーソルが操作者の所望とする文字に到達したときに、操作者がリモコン１００の決定キー１２０を押すと、カーソルが指示している文字を文字入力制御部５４０によって入力して、入力した文字を記憶部５５０に記憶させる。また、文字入力制御部５４０によって入力された文字は、入力文字表示制御部５６０により入力文字表示部２２０（図１参照。）に表示される。この場合、秘匿情報ではないので、「＊」とする必要は特になく、入力された文字そのものを表示させるようにしてもよい。
【００４７】
このような操作を順次行うことによって、２番目、３番目、・・・の文字が文字入力制御部５４０によって記憶部５５０に記憶されるとともに、入力文字表示制御部５６０によって表示制御される。なお、記憶部５５０には入力された複数の文字は一般情報（個別名称や使用者名など）として記憶され、その後のプロジェクターＰＪの操作などに使用される。このように、一般情報の入力の仕方は、従来のソフトウエアキーボードによる情報入力の仕方と同様である。
【００４８】
次に、ソフトウエアキーボード２１０からパスワードなどの秘匿情報の入力を行う場合について説明する。なお、秘匿情報の入力を行う場合には、ソフトウエアキーボード２１０には赤色カーソルＣｒ、青色カーソルＣｂ、黄色カーソルＣｙ、緑色カーソルＣｇの４色のカーソルが表示される。なお、カーソルは、アンダーバー、十字マークなど特に限定されるものではないが、実施形態１においては、説明を理解し易くするために、カーソルによって指示されている文字には、当該文字を囲む枠内を灰色としたり、ハッチングなどを施したりしている（例えば図３参照。）
【００４９】
図３は、ソフトウエアキーボード２１０を用いて秘匿情報の設定を行う具体例について説明する図である。図３を参照しながらソフトウエアキーボード２１０から秘匿情報を入力する場合について説明する。秘匿情報を入力する場合は、モード切り替えキー１３０によってプロジェクターＰＪを秘匿情報設定モードとする。
【００５０】
これにより、図３に示すように、ソフトウエアキーボード２１０上には４色のカーソルＣｒ，Ｃｂ，Ｃｙ，Ｃｇがランダムに表示される。この４色のカーソルＣｒ，Ｃｂ，Ｃｙ，Ｃｇは、リモコン１００の文字選択キー１１１，１１２，１１３，１１４によってそれぞれ移動するものであるが、前述したように、ある特定の文字選択キーが押圧操作されることによって、当該特定の文字選択キーに対応するカーソルが設定された方向に移動する
とともに、それに連動して、他の３つの色のカーソルもそれぞれに設定された方向に移動する。
【００５１】
なお、ある１つの色のカーソル以外の色のカーソルは、ダミーのカーソルであり、このようなダミーのカーソルを表示させるのは、操作者が入力しようとする文字（決定キー１２０によって決定する文字）がどれであるかを第三者に分かりにくくするためのものである。このとき、操作者は、実際に文字の入力を行うカーソルはどの色のカーソルであるかを決めて操作を行う。なお、以下では、実際に文字の入力を行うカーソルを「注目カーソル」と呼ぶことにする。また、ここでは、注目カーソルは赤色カーソルＣｒであるとする。
【００５２】
また、前述したように、４色のカーソルＣｒ，Ｃｂ，Ｃｙ，Ｃｇは、ソフトウエアキーボード２１０上において、それぞれに設定された方向のみにしか移動できないようになっている。すなわち、赤色カーソルＣｒは上方向（図３における矢印ｙ’方向）のみ、青色カーソルＣｂは下方向（図３における矢印ｙ方向）のみ、黄色カーソルＣｙは右方向（図３における矢印ｘ方向）のみ、緑色カーソルＣｇは左方向（図３における矢印ｘ’方向）のみにしか移動できないように設定されている。
【００５３】
なお、４色のカーソルＣｒ，Ｃｂ，Ｃｙ，Ｃｇは、ソフトウエアキーボード２１０の端部（終端）まで達した時は、行又は列を次行又は次列に変更して、変更後の行又は列の最初の端部（始端）に戻ったのちに、それぞれに設定された方向に移動する。ここで、次行というのは、ソフトウエアキーボード２１０において現在の行よりも下方向（図３における矢印ｙ方向）における次の行であるとする。また、次列というのは、ソフトウエアキーボード２１０において現在の列よりも右方向（図３における矢印ｘ方向）における次の列であるとする。
【００５４】
例えば、赤色カーソルＣｒの場合は、文字「Ｏ」の位置から上方向に移動して終端（ソフトウエアキーボード２１０の最上端の文字「Ａ」）に達したあとは、次列の始端（ソフトウエアキーボード２１０の最下端の文字「−」に位置して、この「−」を始端として上方向に移動して行く。他の色のカーソルＣｂ，Ｃｙ，Ｃｇも同様に、それぞれ終端に達したあとは、次行又は次列の始端の文字に位置して、当該始端の文字からそれぞれが決められた方向に移動して行く。
【００５５】
以下に、秘匿情報の具体的な入力例について説明する。ここでは、秘匿情報の入力例として、２つの秘匿情報設定例について説明する。一方の秘匿情報設定例を「第１の秘匿情報設定例」とし、他方の秘匿情報設定例を「第２の秘匿情報設定例」とする。なお、いずれの秘匿情報設定例においても、入力すべき秘匿情報は、「ＡＢＹＺ」であるとする。
【００５６】
（第１の秘匿情報設定例）
第１の秘匿情報設定例は、「ＡＢＹＺ」のすべての文字の入力が終わるまで、注目カーソルを変更しない場合である。
【００５７】
図４は、図３に示すソフトウエアキーボード２１０を用いた第１の秘匿情報設定例について説明する図である。図４（ａ）は、４色のカーソルＣｒ，Ｃｂ，Ｃｙ，Ｃｇがソフトウエアキーボード２１０上にランダムに表示された状態であり、図４（ａ）に示す各カーソルの位置を初期位置とする。なお、４色のカーソルＣｒ，Ｃｂ，Ｃｙ，Ｃｇの初期位置の決め方は、特に限定されるものではないが、それぞれが適度に間隔を置いて離散した位置に配置されることが好ましい。
【００５８】
図４（ａ）においては、赤色カーソルＣｒの初期位置は、アルファベット「Ｏ」の位置
であり、青色カーソルＣｂの初期位置は、数値「４」の位置であり、黄色カーソルＣｙの初期位置は、記号「＃」の位置であり、緑色カーソルＣｇの初期位置はアルファベット「Ｆ」の位置であったとする。このような初期位置において、操作者は、まず最初に「ＡＢＹＺ」のうちの「Ａ」を入力するための操作を行うが、このとき、最も少ない操作で「Ａ」に到達可能なカーソルは、この場合、赤色カーソルＣｒである。このため、操作者は赤色カーソルＣｒを注目カーソルとしたとする。
【００５９】
そして、まずは、赤色カーソルＣｒを「Ａ」にまで移動させる。これは、文字選択キー１１１を２回押圧操作すればよい。これにより、図４（ｂ）に示すように、赤色カーソルは、上方向に２文字分だけ移動して「Ａ」の位置に到達する。この赤色カーソルＣｒの移動に連動して、他の色のカーソルもそれぞれに設定された方向に移動する。すなわち、図４（ｂ）に示すように、青色カーソルＣｂは、下方向に２文字分移動して「＝」の位置に到達し、黄色カーソルＣｙは、右方向に２文字分移動して「＆」の位置に到達し、緑色カーソルＣｇは、左方向に２文字分移動して「Ｄ」の位置に到達する。
【００６０】
そして、赤色カーソルが「Ａ」の位置に到達した時点で、操作者は決定キー１２０を押す。なお、決定キー１２０の押圧操作により入力される文字は、「決定キー１２０が押される直前に操作された文字選択キーに対応するカーソルによって指示されている文字とする」というように予め設定しておく。すなわち、この場合、決定キー１２０が押される直前に操作された文字選択キーは、文字選択キー１１１であるので、当該文字選択キー１１１に対応する赤色カーソルＣｒによって指示されている文字「Ａ」を入力すべき文字として採用する。なお、このような制御、すなわち、決定キー１２０が操作されたときに、どの文字を入力すべき文字として採用するかといった制御は、文字入力制御部に５６０によって行われる。
【００６１】
このように、赤色カーソルＣｒが「Ａ」の文字に到達したときに、操作者は決定キー１２０を押すが、このとき、他の色のカーソルＣｂ，Ｃｙ，Ｃｇもそれぞれ所定の文字を指示しているので、第三者は各色のカーソルＣｒ，Ｃｂ，Ｃｙ，Ｃｇがそれぞれ指示している４つの文字のうちのどの文字が実際に入力された文字であるかを識別することは容易にはできない。
【００６２】
続いて、操作者は、赤色カーソルＣｒを「ＡＢＹＺ」のうちの文字「Ｂ」に移動させるための操作を行う。なお、赤色カーソルＣｒは上方向のみの移動しかできないので、現時点において指示している「Ａ」の右隣にある「Ｂ」に直接、横移動させることはできない。このため、赤色カーソルＣｒを「Ａ」の位置から「Ｂ」の位置まで移動させるには、文字選択キー１１１を７回だけ連続的に押圧操作することとなる。
【００６３】
文字選択キー１１１を７回だけ連続的に押圧操作することにより、赤色カーソルＣｒは次列に移って再び上方向に移動して、所望とする文字「Ｂ」に到達する（図４（ｃ）参照）。この赤色カーソルＣｒの移動に連動して、他の色のカーソルもそれぞれに設定された方向に移動する。すなわち、図４（ｃ）に示すように、青色カーソルＣｂは、「＝」の位置から次列に移って再び下方向に７文字分だけ移動して「〜」の位置に到達し、黄色カーソルＣｙは、「＆」の位置から次行に移って再び右方向に７文字分だけ移動して「％」の位置に到達し、緑色カーソルＣｇは、「Ｄ」の位置から左方向に移動後に次行に移って再び左方向に７文字分だけ移動して「Ｋ」の位置に到達する。
【００６４】
そして、赤色カーソルが「Ｂ」の位置に到達した時点で、操作者は決定キー１２０を押す。この場合、決定キー１２０が押される直前に操作された文字選択キーは、文字選択キー１１１であるので、当該文字選択キー１１１に対応する赤色カーソルＣｒによって指示されている文字「Ｂ」が入力すべき文字として採用される。
【００６５】
続いて、「Ｙ」及び「Ｚ」を設定するための操作を行うが、これらの設定を行うための操作は、上記した「Ａ」，「Ｂ」の入力操作と同様の手順で行うことができるのでその説明は省略する。
【００６６】
以上のような操作を行うことにより、秘匿情報である「ＡＢＹＺ」を構成する各文字を第三者に判読されることなく入力することができる。すなわち、スクリーンＳＣＲ上に表示されているソフトウエアキーボード２１０上においては、４色のカーソルＣｒ，Ｃｂ，Ｃｙ，Ｃｇが表示され、４色のカーソルＣｒ，Ｃｂ，Ｃｙ，Ｃｇのうちの注目カーソル（赤色カーソルＣｒ）の移動に連動して、他の３つのカーソルＣｂ，Ｃｙ，Ｃｇもそれぞれに設定された方向に移動する。そして、赤色カーソルＣｒが所望とする文字の位置に到達した時点で、決定キー１２０を押すことにより、注目カーソルによって指示されている文字のみが入力される。
【００６７】
このような入力操作を行う際には、操作者は、注目カーソル（上述の例では赤色カーソルＣｒ）だけを注目していればよいので、一般情報の入力と殆ど同じ操作によって秘匿情報を構成する各文字を入力することができる。すなわち、操作者は、文字選択キー１１１，１１２，１１３，１１４のうちのある特定の文字選択キー（この場合、文字選択キー１１１）のみを操作しながら、当該特定の文字選択キー１１１に対応する赤色カーソルＣｒの動きを見ていればよい。
【００６８】
一方、第三者は４色のカーソルＣｒ，Ｃｂ，Ｃｙ，Ｃｇが表示され、かつ、それぞれのカーソルＣｒ，Ｃｂ，Ｃｙ，Ｃｇが様々な方向に動いているので、どのカーソルが実際の入力に用いられるカーソルであるかを識別することは難しい。このため、多数の視聴者の面前で、スクリーンＳＣＲ上に表示されているソフトウエアキーボード２１０から秘匿情報の設定を行う必要がある場合においても、視聴者に判読されることなく秘匿情報の入力が可能となる。
【００６９】
ところで、上記したように４色のカーソルＣｒ，Ｃｂ，Ｃｙ，Ｃｇを移動させる操作を行う際、４色のカーソルＣｒ，Ｃｂ，Ｃｙ，Ｃｇは、それぞれが異なった方向に移動するように設定されているので、２つ以上のカーソルが同じ文字を同時に指示する状況が発生する場合もあり得る。
【００７０】
このような場合は、２つ以上のカーソルが同じ文字を同時に指示する状況となったとしても、それを何ら考慮することなく操作を続行するようにしてもよく、また、一方のカーソル（注目カーソル以外のカーソル）を１文字だけスキップさせるようにしてもよい。なお、１文字だけスキップさせるようにすると、２つのカーソルが重なるのを防ぐことはできるが、一方のカーソルがスキップする動作を行うので、カーソルの動きを特に注視しているような第三者には、スキップしたカーソルは、ダミーのカーソルの可能性があるというように認識されることもある。
【００７１】
したがって、秘匿性の強化という点では、２つ以上のカーソルが同じ文字を同時に指示する状況を何ら考慮することなく操作を続行する方が好ましいといえる。なお、たとえ、２つ以上のカーソルが同じ文字を同時に指示する状況となったとしても、それは一時的であり、次の操作を行うことにより、２つ以上のカーソルが同じ文字を同時に指示する状況は解消される。
【００７２】
（第２の秘匿情報設定例）
第２の秘匿情報設定例は、注目カーソルを途中で変更することによって、所望とする文字の入力をより効率的に行うようにするものである。すなわち、１つ以上の文字の入力が
終了した時点で、次に入力すべき文字に対して、より少ない操作で到達可能なカーソルを新たな注目カーソルとするものであり、こうすることで、所望とする文字の入力をより少ない操作で効率的に行うことができる。
【００７３】
以下に第２の秘匿情報設定例について説明する。なお、第２の秘匿情報設定例は、注目カーソルを途中で変更する点が第１の秘匿情報設定例と異なるだけであるので、プロジェクターＰＪの構成、ソフトウエアキーボード２１０の構成などは、第１の秘匿情報設定例と同様であるとして説明する。
【００７４】
図５は、図３に示すソフトウエアキーボード２１０を用いた第２の秘匿情報設定例について説明する図である。図５（ａ）は第２の秘匿情報設定例における４色のカーソルＣｒ，Ｃｂ，Ｃｙ，Ｃｇの初期位置を示す図であり、これは、第１の秘匿情報設定例における初期位置（図４（ａ）参照）と同様であるとする。また、第２の秘匿情報設定例においても、秘匿情報「ＡＢＹＺ」を構成する各文字を入力する場合を考える。ここでは、文字「Ａ」の入力は終了し、文字「Ｂ」以降の各文字を入力する場合について説明する。この時点では、図５（ｂ）に示すように、赤色カーソルＣｒは「Ａ」の位置、青色カーソルＣｂは「＝」の位置、黄色カーソルＣｙは「＆」の位置、緑色カーソルＣｇは「Ｄ」の位置に到達している。
【００７５】
図５（ｂ）の状態では、次に入力すべき文字「Ｂ」は、左方向のみに移動する緑色カーソルＣｇによって入力した方が効率的であることは明らかである。すなわち、第１の秘匿情報設定例に示すように、赤色カーソルＣｒのみで入力しようとすると、赤色カーソルＣｒを「Ａ」の位置から７文字分だけ移動させる必要があるが、緑色カーソルＣｇを用いれば、「Ｄ」の位置から左方向に２文字分だけ移動させればよい。したがって、操作者は、「Ａ」を入力した時点で、注目カーソルを赤色カーソルＣｒから緑色カーソルＣｇに変更する。そして、緑色カーソルＣｇに対応する文字選択キー１１４を２回押圧操作することにより、緑色カーソルＣｇは左方向に２文字分移動する。
【００７６】
これにより、緑色カーソルＣｇは「Ｂ」の位置に到達する（図５（ｃ）参照）。この緑色カーソルＣｇの移動に連動して、他の色のカーソルもそれぞれに設定された方向に移動する。すなわち、図５（ｃ）に示すように、赤色カーソルＣｒは、「Ａ」の位置から次列に移って再び上方向に２文字だけ分移動して「／」の位置に到達し、青色カーソルＣｂは、「＝」の位置から次列に移って再び下方向に２文字分移動して「Ｋ」の位置に到達し、黄色カーソルＣｙは、「＆」の位置から次行に移って再び右方向に２文字分移動して「−」の位置に到達している。
【００７７】
そして、緑色カーソルＣｇが「Ｂ」の位置に到達した時点で、操作者は決定キー１２０を押す。この場合、決定キー１２０が押される直前に操作された文字選択キーは、文字選択キー１１４であるので、当該文字選択キー１１４に対応する緑色カーソルＣｇによって指示されている文字「Ｂ」が入力すべき文字として採用される。
【００７８】
続いて、「ＡＢＹＺ」の「Ｙ」を入力するが、この場合は、この時点（図５（ｃ）参照）で「Ｋ」の位置にある青色カーソルＣｂを２文字だけ下方向に移動させるのが最も効率的である。したがって、注目カーソルを緑色カーソルＣｇから青色カーソルＣｂに変更する。そして、青色カーソルＣｂに対応する文字選択キー１１２を２回押圧操作することにより、青色カーソルＣｂは下方向に２文字分だけ移動する。
【００７９】
これにより、青色カーソルＣｂは「Ｙ」の位置に到達する（図５（ｄ）参照）。この青色カーソルＣｂの移動に連動して、他の色のカーソルもそれぞれに設定された方向に移動する。すなわち、図５（ｄ）に示すように、赤色カーソルＣｒは、「／」の位置から上方
向に２文字分だけ移動して「Ｗ」の位置に到達し、黄色カーソルＣｙは、「−」の位置から右方向に２文字分移動して「〜」の位置に到達し、緑色カーソルＣｇは、「Ｂ」の位置から２文字分だけ移動して「Ｎ」の位置に到達している。なお、緑色カーソルＣｇは途中で次行に移って再び左方向に移動している。
【００８０】
そして、青色カーソルＣｂが「Ｙ」の位置に到達した時点で、操作者は決定キー１２０を押す。この場合、決定キー１２０が押される直前に操作された文字選択キーは、文字選択キー１１２であるので、当該文字選択キー１１２に対応する青色カーソルＣｂによって指示されている文字「Ｙ」が入力すべき文字として採用される。
【００８１】
続いて、「ＡＢＹＺ」の「Ｚ」を入力する。カーソルを「Ｚ」に到達させるには、現時点（図５（ｄ）の状態）においては、４色のカーソルＣｒ，Ｃｂ，Ｃｙ，Ｃｇのどのカーソルにおいても多くの操作を行う必要があるが、その中で、現時点における注目カーソルである青色カーソルＣｂを用いて入力するのがより効率的である。したがって、青色カーソルＣｂをそのまま注目カーソルとして入力を行う。すなわち、「Ｙ」の位置にある青色カーソルＣｂを７回押圧操作することにより、青色カーソルＣｂは「Ｚ」の位置に到達する（図５（ｅ）参照）。この青色カーソルＣｂの移動に連動して、他の色のカーソルもそれぞれに設定された方向に移動する。すなわち、図５（ｅ）に示すように、赤色カーソルは、「Ｗ」の位置から７文字分だけ移動して「Ｘ」の位置に到達し、黄色カーソルＣｙは、「〜」の位置から7文字だけ分移動して「Ｄ」の位置に到達し、緑色カーソルは、「Ｎ」の位置から7文字分だけ移動して「Ｕ」の位置に到達している。なお、黄色カーソルＣｙは、右方向に移動後に最上段の行に移って再び右方向に移動している。
【００８２】
そして、青色カーソルＣｂが「Ｚ」の位置に到達した時点で、操作者は決定キー１２０を押す。この場合も、決定キー１２０が押される直前に操作された文字選択キーは、文字選択キー１１２であるので、当該文字選択キー１１１に対応する青色カーソルＣｂによって指示されている文字「Ｚ」が入力すべき文字として採用される。
【００８３】
第２の秘匿情報設定例によれば、入力すべき文字の位置に対して、より少ない操作で到達できるカーソルを新たな注目カーソルとしているため、秘匿情報「ＡＢＹＺ」を構成するすべての文字の入力が終了するまでの合計の操作回数は、第１の秘匿情報設定方法に比べて、より少なくすることができる。
【００８４】
［実施形態２］
実施形態１においては、ソフトウエアキーボード２１０そのものをスクリーンＳＣＲ上に表示して、４色のカーソルＣｒ，Ｃｂ，Ｃｙ，Ｃｇをソフトウエアキーボード２１０上で移動させることによって、入力すべき文字を選択するようにした。これに対して、実施形態２においては、情報設定画面２００に例えば４つの個別文字表示部２４１，２４２，２４３，２４４（図６参照）を設け、これら４つの個別文字表示部２４１，２４２，２４３，２４４に表示させる文字を、４つの文字選択キー１１１，１１２，１１３，１１４によって変化させながら、決定キー１２０によって所望とする文字を入力するというものである。
【００８５】
図６は、実施形態２に係るプロジェクターＰＪにおける秘匿情報設定例について説明する図である。実施形態２に係るプロジェクターＰＪにおいては、操作者によってリモコン１００から情報設定画面表示要求が出されると、情報設定画面表示制御部５２０によって図６に示すような情報設定画面２００が表示される。なお、実施形態２に係るプロジェクターＰＪの構成は、実施形態１に係るプロジェクターＰＪの説明で用いた図２と同様の構成とすることができる。
【００８６】
実施形態２に係るプロジェクターＰＪにおいて表示される情報設定画面２００は、図６に示すように、リモコンの４つの文字選択キー１１１，１１２，１１３，１１４に対応する４つの個別文字表示部２４１，２４２，２４３，２４４を表示させて、この４つの個別文字表示部２４１，２４２，２４３，２４４には、例えば、アルファベット、数値、記号などをそれぞれ割り当てて表示させるようにする。具体的には、個別文字表示部２４１には、例えば、アルファベットの大文字を１文字ずつ表示させ、個別文字表示部２４２には、例えば、アルファベットの小文字を１文字ずつ表示させ、個別文字表示部２４３には、例えば、「０」〜「９」の数値を１文字ずつ表示させ、個別文字表示部２４４には、例えば、「＃」，「／」などの記号を１文字ずつ表示させるようにする。
【００８７】
そして、文字選択キー１１１は、個別文字表示部２４１に表示されるアルファベットの大文字を１文字ずつ順送りさせるための機能を有し、文字選択キー１１２は、個別文字表示部２４２に表示されるアルファベットの小文字を１文字ずつ順送りさせるための機能を有し、文字選択キー１１３は、個別文字表示部２４３に表示される数値を１文字ずつ順送りさせるための機能を有し、文字選択キー１１４は、個別文字表示部２４４に表示される記号を１文字ずつ順送りさせるための機能を有する。
【００８８】
また、これら各文字選択キー１１１，１１２，１１３，１１４のうちの１つの文字選択キー（特定の文字選択キー）を押すことにより、対応する個別文字表示部において文字が１文字ずつ順送り表示されるが、このとき、他の個別文字表示部においても文字が１文字ずつ順次送り表示されるようにしている。例えば、操作者が文字選択キー１１１を連続的に押圧操作すると、個別文字表示部２４１には、「Ａ」，「Ｂ」、「Ｃ」，・・・というように文字が１文字ずつ順送り表示されるが、これと連動して、他の個別文字表示部においても、それぞれの文字が順送り表示されて行く。
【００８９】
そして、文字の入力は前述の実施形態１と同様、決定キー１２０によって行う。このとき、決定キー１２０が押される直前に操作された文字選択キーに対応する個別文字表示部に表示されている文字が採用される。例えば、操作者が文字選択キー１１１を操作していて、個別文字表示部２４１に「Ａ」が表示された時に、当該操作者が決定キー１２０を押したとすると、この場合、決定キー１２０が押される直前に操作された文字選択キーは、文字選択キー１１１であるので、当該文字選択キー１１１に対応する個別文字表示部２４１に表示された文字「Ａ」を入力すべき文字として採用する。
【００９０】
また、それぞれの個別文字表示部２４１，２４２，２４３，２４４に初期状態として表示される文字は、ランダムであってよい。例えば、個別文字表示部２４１には「Ｃ」、個別文字表示部２４２には「ｒ」、個別文字表示部２４３には「５」、個別文字表示部２４４には「＋」というように表示される。
【００９１】
ただし、このような初期状態から、操作者がある特定の文字選択キーを操作したときは、所定の順序でそれぞれの文字が表示されることが好ましい。例えば、個別文字表示部２４１においては、初期状態が「Ｃ」であれば、以降は、「Ｄ」，「Ｅ」、「Ｆ」，「Ｇ」，・・・というようなアルファベット順とし、個別文字表示部２４２においても同様に、初期状態が「ｒ」であれば、以降は、「ｓ」，「ｔ」、「ｕ」，「ｖ」，・・・というようなアルファベット順とし、個別文字表示部２４３においては、初期状態が「５」であれば、以降は、「６」，「７」、「８」，・・・というような数字の昇順（降順でも可）とする。また、個別文字表示部２４４においては、記号の配列に特に順序が設けられている場合には、その順序に従って表示を行うが、そうでなければランダムに表示させてもよい。
【００９２】
以上説明したように、実施形態２においては、スクリーンＳＣＲ上に表示されている各
個別文字表示部２４１，２４２，２４３，２４４には、それぞれ異なる文字が表示され、文字選択キー１１１，１１２，１１３，１１４のうちの特定の文字選択キーを操作することにより、当該特定の文字選択キーに対応する個別文字表示部の文字だけでなく、他の個別文字表示部の文字も連動して変化して行く。このため、第三者はどの個別文字表示部に表示されている文字が実際に入力される文字であるかを容易には識別することができない。そして、当該特定の文字選択キーに対応する個別文字表示部に所望とする文字に表示されたときに、決定キー１２０を操作すると、当該特定の文字選択キーに対応する個別文字表示部に表示されている文字が入力される。これにより、実施形態２においても、操作が容易でかつ秘匿性の高い秘匿情報の入力が可能となる。
【００９３】
なお、本発明は上記実施形態に限られるものではなく、本発明の要旨を逸脱しない範囲で種々変形実施可能となるものである。例えば、下記（１）〜（４）に示すような変形実施も可能である。
【００９４】
（１）上記実施形態１の説明で用いたソフトウエアキーボードにおける文字の種類や配列などは一例であってこれに限られるものではなく、たとえば、パーソナルコンピュータで一般的に用いられているキーボードと同じものをソフトウエアキーボードとして表示させるようにしてもよい。
【００９５】
（２）上記実施形態１においては、４つのカーソルを色分けしたが、色分けすることは必須要件ではない。確かに、４つのカーソルを色分けすることで、操作者はどのカーソルが現時点における注目カーソルであるかを容易に判断することは可能であるが、これら４つのカーソルの移動方向がそれぞれ異なるので、移動方向を注目することにより、現時点における注目カーソルの特定は可能である。また、４つのカーソルの種類をそれぞれ異ならせるようにしてもよく、色分けした上でさらにカーソルの種類を異ならせるようにしてもよい。
【００９６】
（３）上記実施形態１においては、４つのカーソルにそれぞれのカーソルの移動方向を示す矢印を各カーソルに付随させて表示するようにしてもよい
【００９７】
（４）上記各実施形態においては、リモコンの文字選択キーは、４個である場合を例示し、実施形態１及び実施形態２においては、４つの文字選択キーに対応した４つのカーソルを設けるようにしたが、文字選択キーの数は、４個に限られるものではなく、例えば８個としてもよい。文字選択キーの数を８個とした場合には、実施形態１においては、カーソルも８個設け、各カーソルの移動方向を上下左右に加えて斜め方向を加えて、８方向の移動とすることも可能である。また、文字選択キーを８個とした場合、実施形態２においては、個別文字表示部を８個として、８個の個別文字表示部にアルファベット、数値・記号などを順次表示させることも可能である。
【符号の説明】
【００９８】
１００・・・リモコン、１１１，１１２，１１３，１１４・・・文字選択キー（選択操作手段）、１２０・・・決定キー（決定操作手段）、１３０・・・モード切り替えキー、２００・・・情報設定画面、２１０・・・ソフトウエアキーボード、２２０・・・入力文字表示部、２４１，２４２，２４３，２４４・・・個別文字表示部、５００・・・秘匿情報設定装置、５２０・・・情報設定画面表示制御部、５３０・・・カーソル制御部、５４０・・・文字入力制御部、Ｃｒ・・・赤色カーソル、Ｃｂ・・・青色カーソル、Ｃｙ・・・黄色カーソル、Ｃｇ・・・緑色カーソル、ＰＪ・・・プロジェクター、ＳＣＲ・・・スクリーン
【図１】
2010250720.tif 000003
【図２】
2010250720.tif 000004
【図６】
2010250720.tif 000005
【図３】
2010250720.tif 000006
【図４】
2010250720.tif 000007
【図５】
2010250720.tif 000008